(57)【要約】  本発明は、複数の映像をそれぞれ表示する複数の副表示部（２−ｎ）と、複数の映像の少なくとも一つを表示する主表示部（１）と、複数の副表示部のそれぞれの視聴者数を検出する検出部（１７）と、検出部により検出された視聴者数に基づいて、複数の副表示部のうち、視聴者数が最も多い副表示部に表示されている映像と同じ映像を主表示部に表示させる制御部（１６）と、を備える、表示システム（１００）である。
2019229926.tif 000002
【特許請求の範囲】
【請求項１】
複数の映像をそれぞれ表示する複数の副表示部と、
前記複数の映像の少なくとも一つを表示する主表示部と、
複数の前記副表示部のそれぞれの視聴者数を検出する検出部と、
前記検出部により検出された視聴者数に基づいて、複数の前記副表示部のうち、前記視聴者数が最も多い前記副表示部に表示されている映像と同じ映像を前記主表示部に表示させる制御部と、を備える、
表示システム。
【請求項２】
前記検出部は、前記主表示部の視聴者数を更に検出し、
前記制御部は、前記検出部により検出された、前記主表示部の第１視聴者数が所定の閾値より多いか否かを判定し、前記第1視聴者数が前記閾値以下の場合、前記視聴者数が最も多い前記副表示部に表示されている映像と同じ映像を前記主表示部に表示させる、
請求項１に記載の表示システム。
【請求項３】
前記検出部は、前記主表示部の視聴者数を更に検出し、
前記制御部は、前記検出部により検出された、前記主表示部の第１視聴者数が所定の閾値より多いか否かを判定し、前記検出部により検出された、前記第1視聴者数が前記閾値より多い場合、前記主表示部において、前記主表示部に表示されていた映像を維持して前記主表示部に表示させる、
請求項１または２に記載の表示システム。
【請求項４】
前記閾値は、前記主表示部の映像を維持するために必要な値に設定される、
請求項３に記載の表示システム。
【請求項５】
前記主表示部は視聴者を撮像する第１撮像部を備え、
前記検出部は、前記第１撮像部により撮像された画像に基づいて、前記主表示部の視聴者数を検出する、
請求項１から４のうちいずれか１項に記載の表示システム。
【請求項６】
前記副表示部は視聴者を撮像する第２撮像部を備え、
前記検出部は、前記第２撮像部により撮像された画像に基づいて、前記副表示部の視聴者数を検出する、
請求項５に記載の表示システム。
【請求項７】
前記検出部は、前記第１撮像部または前記第２撮像部により撮像された画像を解析して顔認証の処理を実行して前記主表示部または前記副表示部の視聴者数を検出する、
請求項６に記載の表示システム。
【請求項８】
前記検出部は、前記第１撮像部または前記第２撮像部により撮像された画像を解析して瞳検出の処理を実行して前記主表示部または前記副表示部の視聴者数を検出する、
請求項６に記載の表示システム。
【請求項９】
前記主表示部および複数の前記副表示部のそれぞれの表示内容を管理する管理部を更に備え、
前記管理部は、前記検出部により検出された視聴者数に基づいて、複数の前記副表示部のうち、前記視聴者数が最も多い前記副表示部に表示されている第1表示内容の情報を取得し、
前記制御部は、前記情報に基づいて前記主表示部に前記第1表示内容を表示させる、
請求項１から８のうちいずれか1項に記載の表示システム。
【請求項１０】
コンピュータが、
複数の映像をそれぞれ複数の副表示部に表示し、
前記複数の映像の少なくとも一つを主表示部に表示し、
複数の前記副表示部のそれぞれの視聴者数を検出し、
検出した視聴者数に基づいて、複数の前記副表示部のうち、前記視聴者数が最も多い前記副表示部に表示されている映像と同じ映像を前記主表示部に表示する、
表示方法。
【請求項１１】
コンピュータに、
複数の表示内容をそれぞれ複数の副表示部に表示させ、
前記複数の映像の少なくとも一つを主表示部に表示させ、
複数の前記副表示部のそれぞれの視聴者数を検出させ、
検出させた視聴者数に基づいて、複数の前記副表示部のうち、前記視聴者数が最も多い前記副表示部に表示されている映像と同じ映像を前記主表示部に表示させる、
プログラム。
【発明の詳細な説明】
【技術分野】
【０００１】
本発明は、表示システム、表示方法およびプログラムに関する。
【背景技術】
【０００２】
映像コンテンツの表示内容をユーザの行動や履歴等の要素に基づいて決定し、表示部に表示させる技術が知られている（例えば、特許文献１および特許文献２参照）。特許文献１に記載されたシステムによれば、ＴＶ受像機の傍にいる子供や動物の行動を検出し、その子供や動物が注意を引くような映像コンテンツを選択しＴＶ受像機に表示することができる。特許文献２に記載されたシステムによれば、聴者の視聴履歴から現在視聴しているグループが視聴したいコンテンツを推測することができる。
【先行技術文献】
【特許文献】
【０００３】
【特許文献１】特開２０１１−２２３１６９号公報
【特許文献２】特開２０１２−０１５９１７号公報
【発明の概要】
【発明が解決しようとする課題】
【０００４】
大型のメインモニタと複数のサブモニタを備えるシステムにおいて、関連する技術を適用すると、メインモニタにはメインモニタの視聴者の嗜好が反映されて表示内容が表示され、それぞれのサブモニタには、それぞれのサブモニタの視聴者の嗜好が反映されて表示内容が表示される。メインモニタには、視聴者に最も人気がある表示内容が表示されることが望ましいが、関連する技術を適用すると、視聴者に人気がある映像コンテンツがメインモニタに表示されるとは限らず、視聴者が少ない映像コンテンツがメインモニタに表示され続ける可能性がある。【０００５】
本発明は、上記事情を考慮してなされたものであり、視聴者の嗜好をより的確に反映した表示内容を表示することができる表示システム、表示方法およびプログラムを提供することを目的としている。
【課題を解決するための手段】
【０００６】
上記課題を解決するため、本発明の一態様は、複数の映像をそれぞれ表示する複数の副表示部と、前記複数の映像の少なくとも一つを表示する主表示部と、複数の前記副表示部のそれぞれの視聴者数を検出する検出部と、前記検出部により検出された視聴者数に基づいて、複数の前記副表示部のうち、前記視聴者数が最も多い前記副表示部に表示されている映像と同じ映像を前記主表示部に表示させる制御部と、を備える、表示システムである。【０００７】
また、本発明の一態様は、コンピュータが、複数の映像をそれぞれ複数の副表示部に表示し、前記複数の映像の少なくとも一つを主表示部に表示し、複数の前記副表示部のそれぞれの視聴者数を検出し、検出した視聴者数に基づいて、複数の前記副表示部のうち、前記視聴者数が最も多い前記副表示部に表示されている映像と同じ映像を前記主表示部に表示する、表示方法である。【０００８】
また、本発明の一態様は、コンピュータに、複数の表示内容をそれぞれ複数の副表示部に表示させ、前記複数の映像の少なくとも一つを主表示部に表示させ、複数の前記副表示部のそれぞれの視聴者数を検出させ、検出させた視聴者数に基づいて、複数の前記副表示部のうち、前記視聴者数が最も多い前記副表示部に表示されている映像と同じ映像を前記主表示部に表示させる、プログラムである。
【発明の効果】
【０００９】
本発明によれば、表示システム、表示方法およびプログラムにおいて視聴者の嗜好をより的確に反映した表示内容を表示することができる。
【図面の簡単な説明】
【００１０】
【図１】表示システム１００の構成を示すブロック図である。
【図２】表示システム１００の詳細な構成を示すブロック図である。
【図３】表示システム１００において実行される処理の流れの一例を示すフローチャートである。
【発明を実施するための形態】
【００１１】
以下、図面を参照しつつ、本発明の実施形態の表示システムについて説明する。図１は、表示システム１００の構成を示すブロック図である。表示システム１００は、主表示部１と、複数の副表示部２−ｎ、（ｎは任意の自然数）と、制御部１６と、検出部１７と、管理部１８とを備える。主表示部１は、表示対象を表示する。複数の副表示部２−ｎは、複数の表示対象をそれぞれ表示する。表示対象は、例えば、映像のコンテンツである。表示対象は、静止画像、テキストなどの他のコンテンツであってもよい。主表示部１は、複数の副表示部２−ｎが表示する複数の映像の少なくとも一つを表示する
【００１２】
検出部１７は、複数の副表示部２−ｎのそれぞれの視聴者７−ｎの視聴者数を検出する。管理部１８は、主表示部１および複数の副表示部２−ｎのそれぞれの表示内容を管理する。制御部１６は、検出部１７により検出された視聴者数７−ｎに基づいて、複数の副表示部２−ｎのうち、視聴者数７−ｎが最も多い副表示部２−ｎに表示されている第1表示内容の情報を管理部１８から取得し、情報に基づいて主表示部１に前記第1表示内容を表示させる。
【００１３】
次に、実施形態の表示システム１００の詳細な構成について説明する。図２は、表示システム１００の詳細な構成を示すブロック図である。表示システム１００は、メインモニタ１（主表示部）と、複数のサブモニタ２−ｎ（副表示部）と、表示制御部１６（制御部）と、視聴者数検出部１７（検出部）と、表示コンテンツ管理部１８（管理部）とを備える。
【００１４】
メインモニタ１は、例えば、映像コンテンツ等の表示対象を表示する大型のディスプレイ装置である。メインモニタ１は、例えば、液晶ディスプレイ、ＬＥＤ（Light Emitting Diode）ディスプレイ、有機ＥＬ（Organic Electro-Luminescence）ディスプレイ等の表示装置が用いられる。メインモニタ１は、プロジェクタにより投影されるものであってもよい。
【００１５】
メインモニタ１には、メインモニタ１に表示される表示内容を視聴する視聴者の視聴者数を検出するためのカメラ１１（第１撮像部）が設けられている。カメラ１１は、メインモニタ１の筐体内に設けられていてもよいし、メインモニタ１の筐体の外部に外付けで設けられていてもよい。
【００１６】
サブモニタ２−ｎは、例えば、映像コンテンツ等の表示対象を表示するメインモニタ１より小型のディスプレイ装置である。サブモニタ２−ｎは、例えば、液晶ディスプレイ、ＬＥＤディスプレイ、有機ＥＬディスプレイ等の表示装置が用いられる。サブモニタ２−ｎは、プロジェクタにより投影されるものであってもよい。
【００１７】
サブモニタ２−ｎには、サブモニタ２−ｎに表示される表示内容を視聴する視聴者７−ｎの視聴者数を検出するためのカメラ１２−ｎ（第２撮像部）が設けられている。カメラ１２−ｎは、サブモニタ２−ｎの筐体内に設けられていてもよいし、サブモニタ２−ｎの筐体の外部に外付けで設けられていてもよい。
【００１８】
表示制御部１６は、メインモニタ１および複数のサブモニタ２−ｎに表示される表示内容を制御する。表示制御部１６は、例えば、視聴者数検出部１７と、表示コンテンツ管理部１８とを備える。視聴者数検出部１７および表示コンテンツ管理部１８は、表示制御部１６における個別の機能部として記載しているが、各機能部を別々の構成としてもよいし一つの機能部として構成してもよい。
【００１９】
表示制御部１６は、メインモニタ１に表示対象を表示させる。表示制御部１６は、複数のサブモニタ２−ｎに表示対象を表示させる。表示制御部１６は、例えば、複数のサブモニタ２−ｎに異なる表示対象を表示させる。
【００２０】
視聴者数検出部１７は、カメラ１１により撮像された画像に基づいてメインモニタ１の視聴者数を検出する。視聴者数検出部１７は、カメラ１２−ｎにより撮像された画像に基づいてサブモニタ２−ｎの視聴者数を検出する。カメラ１２−ｎは、例えば、ＣＣＤ（Charge-Coupled Device）やＣＭＯＳ（Complementary MOS）等の撮像素子を備えるデジタルカメラである。
【００２１】
表示コンテンツ管理部１８は、例えば、複数のチャンネルから配信される映像コンテンツをメインモニタ１および複数のサブモニタ２−ｎに表示させるためのチャンネル設定を行う。表示コンテンツ管理部１８は、複数のチャンネル情報とメインモニタ１および複数のサブモニタ２−ｎとを対応させて管理する。
【００２２】
表示コンテンツ管理部１８は、メインモニタ１に表示されている表示内容のチャンネル情報を管理する。表示コンテンツ管理部１８は、サブモニタ２−ｎに表示されている表示内容のチャンネル情報を管理する。表示コンテンツ管理部１８は、メインモニタ１および複数のサブモニタ２−ｎに表示させる表示内容を変更する場合、チャンネル情報を変更する。
【００２３】
表示コンテンツ管理部１８は、メインモニタ１および複数のサブモニタ２−ｎにデフォルトで設定されているチャンネル情報を割り当てる。表示コンテンツ管理部１８は、チャンネル情報の変更があった場合、メインモニタ１に、最も視聴者数が多いサブモニタ２−ｎのチャンネル情報を割り当てる。
【００２４】
表示コンテンツ管理部１８は、デフォルトで設定されているチャンネル情報または最後に表示された映像コンテンツを配信したチャンネル情報を新たに表示開始する際の初期値として設定する。映像コンテンツは、例えば、テレビジョン放送により配信されるものである。映像コンテンツは、この他、ネットワークを介して配信されるものであってもよいし、記憶装置に記憶されたコンテンツを再生するものであってもよい。
【００２５】
表示制御部１６、視聴者数検出部１７および表示コンテンツ管理部１８の各構成要素は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置に格納されていてもよいし、ＤＶＤやＣＤ−ＲＯＭなどの着脱可能な記憶媒体に格納されており、記憶媒体がドライブ装置に装着されることでインストールされてもよい。また、このコンピュータプログラムを通信回線によってコンピュータに配信し、この配信を受けたコンピュータが当該プログラムを実行するようにしても良い。
【００２６】
［動作］
次に、表示システム１００の動作について説明する。表示制御部１６は、表示コンテンツ管理部１８により管理された表示対象の情報に基づいてメインモニタ１に表示コンテンツを表示する。メインモニタ１において、カメラ１１は、メインモニタ１の表示面に表示される表示対象を視聴している視聴者６を撮像する。カメラ１１、撮像した視聴者６の画像を所定のタイミングで視聴者数検出部１７に出力する。所定のタイミングとは、例えば、所定時間ごとである。但し、視聴者数を把握するための視聴者の画像が撮像できるのであれば所定のタイミングは任意のタイミングに設定されてもよい。このとき、カメラ１１は、撮像した日時の情報を同時に視聴者数検出部１７に出力する。
【００２７】
表示制御部１６は、例えば、表示コンテンツ管理部１８により管理された表示対象のチャンネル情報に基づいて、複数のチャンネルから配信される複数の表示コンテンツを複数のサブモニタ２−ｎのそれぞれに表示させる。各サブモニタ２−ｎにおいて、カメラ１２−ｎは、サブモニタ２−ｎの表示面に表示される表示対象を視聴している視聴者７−ｎを撮像する。カメラ１２−ｎは、撮像した視聴者７−ｎの画像を所定のタイミングで視聴者数検出部１７に出力する。このとき、カメラ１２−ｎは、撮像した日時の情報を同時に視聴者数検出部１７に出力する。
【００２８】
視聴者数検出部１７は、カメラ１１により撮像された画像を解析し、人物の顔認証処理を行い、メインモニタ１の視聴者数を検出する。視聴者数検出部１７は、撮像された顔の画像から抽出された各特徴点の位置や特徴点間の距離などを用いて人物の顔を認識する。視聴者数検出部１７は、認識した顔に基づいて撮像された画像中における視聴者数を検出する。
【００２９】
視聴者数検出部１７は、人物の顔における瞳を検出する処理に基づいて、視聴者数を検出してもよい。視聴者数検出部１７は、例えば、画像の輝度に基づいて、撮像された画像における人物の瞳を認識する。視聴者数検出部１７は、例えば、撮像された画像に基づいて、人物の瞳を検出する。視聴者数検出部１７は、例えば、撮像された顔を含む画像から抽出された各特徴点の位置や特徴点間の距離などを用いて人物の顔における瞳を認識する。
【００３０】
視聴者数検出部１７は、検出した瞳に基づいて、視聴者数を検出する。視聴者数検出部１７は、同様に、カメラ１２−ｎにより撮像された画像を解析し、人物の顔認証処理や瞳検出処理を行い、サブモニタ２−ｎの視聴者数を検出する。視聴者数検出部１７は、検出したメインモニタ１の視聴者数およびサブモニタ２−ｎの視聴者数を表示制御部１６に出力する。
【００３１】
表示制御部１６は、視聴者数検出部１７により検出されたサブモニタ２−ｎの視聴者数を比較する。表示制御部１６は、複数のサブモニタ２−ｎのうち、最も視聴者数が多いサブモニタ２−ｎを抽出する。
【００３２】
表示制御部１６は、抽出したサブモニタ２−ｎにおいて表示されている映像コンテンツ（第１表示内容）のチャンネル情報を表示コンテンツ管理部１８から取得する。表示制御部１６は、表示コンテンツ管理部１８から取得したチャンネル情報に基づいて、表示コンテンツ管理部１８に指示してメインモニタ１のチャンネル情報を第１表示内容に対応するチャネル情報に変更させ、メインモニタ１に第1表示内容を表示させる。
【００３３】
このような処理により、メインモニタ１には、視聴者の嗜好が反映された映像コンテンツ等の表示内容が表示される。
【００３４】
表示制御部１６は、メインモニタ１にサブモニタ２−ｎの視聴者数が最も多い第1表示内容を表示させる際、メインモニタ１に既に表示されている映像コンテンツ（第２表示内容）をそのまま表示させるか否かを決定してもよい。
【００３５】
表示制御部１６は、視聴者数検出部１７から取得したメインモニタ１の第１視聴者数と所定の閾値とを比較して、メインモニタ１の第１視聴者数が所定の閾値より多いか否かを判定する。表示制御部１６は、第1視聴者数が所定の閾値以下の場合、第1表示内容をメインモニタ１に表示させる。表示制御部１６は、第1視聴者数が所定の閾値より多い場合、メインモニタ１において表示されていた第２表示内容を維持してメインモニタ１に表示させる。所定の閾値は、例えば、メインモニタ１の表示内容を維持するために必要な人数が維持される値に設定される。
【００３６】
表示制御部１６にこのような判定処理をさせることにより、メインモニタ１に一定数以上の視聴者がいる場合、メインモニタ１に表示されている映像コンテンツ等の第２表示内容が急に切り替わることにより不快感を持つ視聴者数を軽減することができる。
【００３７】
次に、表示システム１００において実行される処理の流れについて説明する。図３は、表示システム１００において実行される処理の流れの一例を示すフローチャートである。表示システム１００において、電源がオン状態となった後、映像コンテンツを表示させる処理が開始される。表示制御部１６は、表示コンテンツ管理部１８から取得したチャンネル情報に基づいて、メインモニタ１および複数のサブモニタ２−ｎに映像コンテンツを表示させる（ステップＳ１００）。
【００３８】
表示制御部１６は、メインモニタ１および複数のサブモニタ２−ｎにおいてデフォルトでまたは最後に表示された映像コンテンツを表示させる（ステップＳ１０２）。視聴者数検出部１７は、メインモニタ１および複数のサブモニタ２−ｎにおける視聴者数を検出する（ステップＳ１０４）。表示制御部１６は、複数のサブモニタ２−ｎのうち最も視聴者数が多いサブモニタ２−ｎのチャンネル情報を表示コンテンツ管理部１８から取得する（ステップＳ１０６）。
【００３９】
表示制御部１６は、表示コンテンツ管理部１８から取得したメインモニタ１の第１視聴者数と所定の閾値とを比較して、メインモニタ１の第１視聴者数が所定の閾値より多いか否かを判定する（ステップＳ１０８）。ステップＳ１０８で否定的な判定を得た場合、表示制御部１６は、最も視聴者数が多いサブモニタ２−ｎの第1表示内容をメインモニタ１に表示させる（ステップＳ１１０）。ステップＳ１０８で肯定的な判定を得た場合、表示制御部１６は、メインモニタ１において表示されていた第２表示内容を維持してメインモニタ１に表示させる（ステップＳ１１２）。ステップＳ１１０、ステップＳ１１２を実行した後、表示制御部１６は、処理をステップＳ１０４に戻す。上述したフローチャートは、例えば、表示システム１００の電源がオフ状態となるまで実行される。
【００４０】
なお、図１における表示システム１００の機能を実現するためのプログラムをコンピュータで読み取り可能な記録媒体に記録して、この記録媒体に記録されたプログラムをコンピュータシステムに読み込ませ、実行することによりメインモニタに最も視聴者数が最も多い映像コンテンツを表示させる処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４２】
上述した実施形態によれば、表示システム１００は、視聴者の嗜好をより的確に反映した表示内容を表示することができる。また、表示システム１００は、メインモニタの表示を切り替える際にメインモニタの視聴者数が表示内容を維持するために必要な人数であるか否かを判定するため、メインモニタに表示されている映像コンテンツが急に切り替わることにより不快感を持つ視聴者数を軽減することができる。
【００４３】
なお、本発明は、上述の実施形態に限定されるものではなく、本発明の目的を達成できる範囲での変形、改良等は本発明に含まれるものである。例えば、上記実施形態によれば、表示システム１００は、各モニタに表示する映像コンテンツのチャンネル情報にて制御を行うものとした。この他、表示システム１００は、あらかじめ各モニタの入力端子に入力する映像コンテンツにより各モニタに映像コンテンツを表示させてもよい。そして、表示システム１００は、各サブモニタが表示している入力端子の情報に基づいて、メインモニタに表示する映像コンテンツをメインモニタの入力端子を切り換えることにより、表示内容を変更してもよい。また、表示システム１００は、ネットワークを介して映像コンテンツを配信する場合、チャンネル情報の代わりにＵＲＬを用いてもよい。
【符号の説明】
【００４４】
１…メインモニタ
２−ｎ…サブモニタ
１１…カメラ
１２−ｎ…カメラ
１６…表示制御部
１７…視聴者数検出部
１８…表示コンテンツ管理部
１００…表示システム
【図１】
2019229926.tif 000003
【図２】
2019229926.tif 000004
【図３】
2019229926.tif 000005
【国際調査報告】
2019229926.tif 000006
2019229926.tif 000007